(57)【要約】【課題】クッション材の表面をカバーで被覆しながら優れた通気性を実現する。クッション材をユーザーの体型に合わせて快適な配置として、多くのユーザーが快適に使用できるようにする。【解決手段】椅子は、椅子本体１０の座部１の上に設けたクッション層２０を、複数に分割してなるクッションユニット２１で構成している。クッションユニット２１は、閉鎖構造で可撓性のあるシートからなる外袋２３の内部にクッション材２２を収納しており、各々のクッションユニット２１を独立して椅子本体１０の座部１に固定している。【選択図】図１
2020039574.tif 000002
【特許請求の範囲】
【請求項１】
椅子本体の座部の上にクッション層を設けてなる椅子であって、
前記クッション層が、複数に分割してなるクッションユニットからなり、
前記クッションユニットは、閉鎖構造で可撓性のあるシートからなる外袋の内部にクッション材を収納しており、
各々のクッションユニットが独立して前記椅子本体の座部に固定されてなることを特徴とする椅子。
【請求項２】
請求項１に記載する椅子であって、
前記クッションユニットが、脱着自在に前記座部に固定されてなることを特徴とする椅子。
【請求項３】
請求項１又は２に記載する椅子であって、
前記クッションユニットの外形が円形、楕円形、多角形の何れかであることを特徴とする椅子。
【請求項４】
請求項１ないし３のいずれかに記載する椅子であって、
前記座部に３個以上のクッションユニットを固定してなることを特徴とする椅子。
【請求項５】
請求項１ないし４のいずれかに記載する椅子であって、
前記座部に固定してなる全ての前記クッションユニットが同一形状であることを特徴とする椅子。
【請求項６】
請求項１ないし５のいずれかに記載する椅子であって、
前記椅子本体の座部に、中央部とその周囲に前記クッションユニットを配置してなることを特徴とする椅子。
【請求項７】
請求項１ないし６のいずれかに記載する椅子であって、
前記座部が、リング状の金属ロッドからなる外側リングと複数の内側リングからなり、
前記外側リングの内側には、同一平面に配置してなる複数の前記内側リングが固定されてなり、
前記内側リングの上に前記クッションユニットが配置させてなることを特徴とする椅子。
【発明の詳細な説明】
【技術分野】
【０００１】
本発明は、座部にクッション層を設けている椅子に関する。
【背景技術】
【０００２】
椅子は、座り心地を良くするために座部にクッション層を設けている。座部のクッション層には、クッション性とコストから、連続気泡の軟質ウレタンフォームが多用される。軟質ウレタンフォームの通気性を改善して、長時間使用しながら快適な座り心地を実現するために、上部に複数の凸部を設けて、凸部の間に設けた溝の下部には凹部を設けたクッション材が開発されている。（特許文献１参照）
【先行技術文献】
【特許文献】
【０００３】
【特許文献１】特開平１０−１４６２４７号公報
【発明の概要】
【発明が解決しようとする課題】
【０００４】
以上のクッション材は、上部に設けた複数の凸部とその間に設けた溝で通気性を改善できる。ただ、このクッション材を椅子のクッション層に使用するには、表面を布等のシート材でカバーする必要があるので、カバーによって通気性が低下する欠点がある。
また、従来の椅子のクッション層は、必ずしも全ての体型のユーザーが長時間快適に快適に使用できず、さらにクッション層は、座部の全面に設けられるので、座部の外形に合わせた専用のクッション層を製造する必要があって、クッション層の製造コストが高くなる欠点があった。
【０００５】
本発明は、さらに以上の欠点を解消することを目的として開発されたもので、本発明の大切な目的は、クッション材の表面をカバーで被覆しながら優れた通気性を実現し、さらに、ユーザーの体型に合わせて快適な配置とすることで、多くのユーザーが快適に使用できる椅子を提供することにある。
【課題を解決するための手段】
【０００６】
本発明の椅子は、椅子本体１０の座部１の上にクッション層２０を設けてなる椅子であって、クッション層２０を、複数に分割してなるクッションユニット２１で構成している。クッションユニット２１は、閉鎖構造で可撓性のあるシートからなる外袋２３の内部にクッション材２２を収納しており、各々のクッションユニット２１を独立して椅子本体１０の座部１に固定している。
【０００７】
以上の椅子は、クッション材の表面をカバーで被覆しながら優れた通気性を実現でき、さらに、ユーザーの体型に合わせてクッションユニットを最適な位置に配置することで、多くのユーザーが快適に使用できるクッション層として製造できる特徴がある。それは、以上の椅子が、クッション層を複数のクッションユニットに分割して、各々のクッションユニットを外袋にクッション材を収納する構造として、各々のクッションユニットを独立して座部に固定しているからである。
【０００８】
本発明は、椅子を以下に限定するものではないが、以下の構成とすることができる。
本発明の椅子は、クッションユニット２１を、脱着自在に座部１に固定することができる。
以上の構成によると、クッションユニットを脱着自在に座部に固定できるので、クッションユニットを座部から簡単に取り外して交換あるいは清掃でき、また、交換後あるいは清掃後には簡単に座部に取り付けできるので、これらの作業を短時間で効率よく行うことができる。また、複数のクッションユニットの配置を簡単に変更することができる。
【０００９】
本発明の椅子は、クッションユニット２１の外形を、円形、楕円形、多角形の何れかとすることができる。
【００１０】
本発明の椅子は、座部に３個以上のクッションユニットを固定することができる。
上記構成によると、クッションユニットの個数、大きさ、配置等を変更することで、クッション層を種々のデザインにできる。とくに、複数のクッション材を組み合わせて、ユーザーの機能性と意匠性に優れた椅子とすることができる。
【００１１】
本発明の椅子は、座部１に固定してなる全てのクッションユニット２１を同一形状とすることができる。
【００１２】
本発明の椅子は、椅子本体１０の座部１に、中央部とその周囲にクッションユニット２１を配置することができる。
【００１３】
本発明の椅子は、座部を、リング状の金属ロッドからなる外側リングと複数の内側リングで構成し、外側リングの内側には、同一平面に配置してなる複数の内側リングを固定し、内側リングの上にクッションユニットを配置することができる。
上記構成によると、リング状の金属ロッドからなる外側リングの内側に、同一平面に配置された複数の内側リングを固定すると共に、この内側リングの上にクッションユニットを配置するので、複数の内側リングでもって外側リングを内側から補強して、細い金属ロッドを使用しながら座部を充分な強度を実現しながら、内側リングの上にクッションユニットを配置することで、美しい外観としながら、複数のクッションユニットを座部の正確な位置に配置できる。
【図面の簡単な説明】
【００１４】
【図１】本発明の実施形態１にかかる椅子の斜視図である。
【図２】図１に示す椅子の平面図である。
【図３】図１に示す椅子の椅子本体の斜視図である。
【図４】クッションユニットの拡大断面図である。
【図５】クッションユニットの分解斜視図である。
【図６】クッションユニットを座部に連結する構造の一例を示す概略断面図である。
【図７】クッションユニットを座部に連結する構造の他の一例を示す概略断面図である。
【図８】本発明の実施形態２にかかる椅子の平面図である。
【図９】本発明の実施形態３にかかる椅子の平面図である。
【図１０】図８と図９に示す椅子の椅子本体の斜視図である。
【図１１】本発明の実施形態４にかかる椅子の斜視図である。
【図１２】クッションユニットを座部に連結する構造の一例を示す概略断面図である。
【図１３】クッションユニットを座部に連結する構造の他の一例を示す概略断面図である。
【図１４】本発明の実施形態５にかかる椅子の斜視図である。
【図１５】本発明の実施形態６にかかる椅子の斜視図である。
【図１６】図１５に示す椅子の分解斜視図である。
【発明を実施するための形態】
【００１５】
以下、図面に基づいて本発明を詳細に説明する。なお、以下の説明では、必要に応じて特定の方向や位置を示す用語（例えば、「上」、「下」、及びそれらの用語を含む別の用語）を用いるが、それらの用語の使用は図面を参照した発明の理解を容易にするためであって、それらの用語の意味によって本発明の技術的範囲が制限されるものではない。また、複数の図面に表れる同一符号の部分は同一もしくは同等の部分又は部材を示す。
さらに以下に示す実施形態は、本発明の技術思想の具体例を示すものであって、本発明を以下に限定するものではない。また、以下に記載されている構成部品の寸法、材質、形状、その相対的配置等は、特定的な記載がない限り、本発明の範囲をそれのみに限定する趣旨ではなく、例示することを意図したものである。また、一の実施の形態、実施例において説明する内容は、他の実施の形態、実施例にも適用可能である。また、図面が示す部材の大きさや位置関係等は、説明を明確にするため、誇張していることがある。
【００１６】
本発明の実施形態１にかかる椅子を図１と図２に示す。図１は椅子の斜視図を、図２は椅子の平面図をそれぞれ示している。これらの図に示す椅子１００は、椅子本体１０の座部１の上にクッション層２０を設けている。
【００１７】
（椅子本体１０）
椅子本体１０は、平面状の座部１と、座部１の両側に垂直姿勢に固定している一対の脚部２とを備えている。さらに、これ等の図に示す椅子本体１０は、背もたれ部３と肘掛け部４も設けている。図に示す椅子本体１０は、座部１と脚部２と背もたれ部３とを、リング状の金属ロッドからなる外側リング５と内側リング６とで形成されたリングプレート３０で構成している。外側リング５と内側リング６とからなるリングプレート３０は、外側リング５の内側に複数の内側リング６を溶着して固定して、全体をプレート状に形成している。図の椅子本体１０は、外側リング５を円形として、その内側に複数の円形の内側リング６を溶接することで、金属ロッドからなるリングプレート３０を形成し、このリングプレート３０を座部１と脚部２と背もたれ部３に使用している。
【００１８】
リングプレート３０を構成する円形の外側リング５と内側リング６は、金属ロッドを湾曲する形状に曲げ加工し、その両端を溶接してリング状に連結して製作される。外側リング５と内側リング６は、同じ太さの金属ロッドで製作される。外側リング５と内側リング６の金属ロッドは、断面形状を円形とする中空でない金属線が適している。中空でない金属ロッドは、金属パイプに比較して所定の曲率半径のリング状に簡単に曲げ加工でき、また細くして充分な強度を実現できる特徴がある。この金属ロッドは、たとえば外径を５ｍｍ〜８ｍｍ、好ましくは外径を約６ｍｍとする鉄又は鉄合金の丸棒である。ただし、外側リング５は内側リング６よりも太い金属ロッドで製作することもでき、また金属ロッドは断面形状を四角形や多角形、あるいは楕円形とする金属線材も使用できる。
【００１９】
内側リング６は、外側リング５の内側に内接して同一平面に配置され、外側リング５の内周面と内側リング６の外周面との近接部を溶着して平面状に連結される。図１〜図３に示すリングプレート３０は、外側リング５の内側に複数の内側リング６を円形に配置して、外側リング５の内周面と内側リング６の外周面との近接部を溶着している。図のリングプレート３０は、複数の内側リング６を、内接リング７と中心リング８とで構成して、内接リング７を外側リング５に内接して配置し、中心リング８を外側リング５の中心部に配置し、外側リング５と内接リング７との近接部を局部的に溶着し、さらに、内接リング７と中心リング８との近接部も局部的に溶着して、外側リング５と内接リング７と中心リング８とを同一平面に配置して、平面状に連結している。
【００２０】
図１〜図３において、座部１と脚部２を構成するリングプレート３０は、外側リング５の内側に５個の内接リング７を配置すると共に、これらの内接リング７の中心に、内接リング７よりも外径の小さい中心リング８を配置している。５つの内接リング７は、外径を等しくしており、外側リング５を五等分する位置に配置している。
【００２１】
図１〜図３において、背もたれ部３を構成するリングプレート３０は、外側リング５の内側に２個の内接リング７を配置すると共に、これらの内接リング７の間に、内接リング７よりも外径の小さい中心リング８を配置して、これら３個の内側リング６を左右方向に並べて直線状に配置している。
【００２２】
図のリングプレート３０は、外側リング５の内側に複数の内側リング６を配置するので、内側リング６の半径は、外側リング５の曲率半径よりも小さい。内側リング６は外側リング５の内側に同一平面に配置され、外側リング５の内周面と内側リング６の外周面とが近接部で局部的に溶着されて、外側リング５と複数の内側リング６とで平面状のリングプレート３０を構成する。
【００２３】
以上の椅子本体１０は、座部１、脚部２を同じ形状のリングプレート３０とすることで、座部１と脚部２とを能率よく多量生産できる特徴がある。ただ、椅子本体は、座部と脚部とを全てを同じ形状とすることなく、座部と脚部を異なる形状とし、あるいは座部と脚部と背もたれ部の何れかを同じ形状として、他を異なる形状とすることもできる。
【００２４】
以上のように、外側リング５に複数の内側リング６を固定して形成されるリングプレート３０は、美しい外観として意匠性に優れた椅子を実現できる。ただ、椅子本体は、座部、脚部、及び背もたれ部を必ずしも外側リングと複数の内側リングからなるリングプレートで構成する必要はなく、外側リングと複数のロッドやパイプからなるプレートで構成し、あるいは、板状のプレートで構成することもできる。
【００２５】
肘掛け部４は、金属ロッドを湾曲する形状に曲げ加工してなる複数の円形リング９が互いに溶着して連結されている。図３の肘掛け部４は、３個の円形リング９が、外周面で互いに接するように溶着されて平面状に連結されると共に、他の２つの円形リング９が積層状態で配置されて、積層部分を溶着して固定されている。
【００２６】
さらに、図１〜図３の椅子本体１０は、座部１の両側に、脚部２と肘掛け部４とを連結し、さらに、両側の脚部２を倒れない強度とするために、座部１の左右方向の中間部の下面に互いに平行な姿勢で複数の中央パイプ１７を固定し、これらの中央パイプ１７に交差する姿勢で左右に突出して連結用固定パイプ１４を固定すると共に、この連結用固定パイプ１４の先端に、金属ロッドからなる水平ロッド１３を固定している。一対の中央パイプ１７は、座部１の外側リング５と内側リング６の下面に溶着して固定される。また、一対の中央パイプ１７は、前後方向の中間部に、平行に配置された一対の固定用連結パイプ１４を溶着して固定している。一対の中央パイプ１７の両側に配置される水平ロッド１３はクロスロッド１１に連結されて、脚部２を倒れない強度に補強している。水平ロッド１３は、その両端部に、椅子本体１０の横方向に伸びる２本の連結パイプ１２を互いに平行な姿勢で水平面内に位置するように連結しており、各々の連結パイプ１２を介して、座部１と脚部２と肘掛け部４とを連結している。図の連結パイプ１２は、脚部２の外側リング５と肘掛け部４の円形リング９を溶着して固定しており、この連結パイプ１２を軸方向に貫通して止ネジ１９を挿通すると共に、止ネジ１９の前端を水平ロッド１３に交差する姿勢で貫通させて、固定用連結パイプ１４の先端部に、軸方向に伸びるように設けている雌ねじ孔にねじ込んで固定している。
【００２７】
以上のように、連結パイプ１２を介して脚部２と肘掛け部４を座部１に連結し、また、連結パイプ１２と水平ロッド１３とを連結固定パイプ１４と中央パイプ１７とを介して座部１に固定する椅子本体１０は、座部１と脚部２と肘掛け部４とを強固に連結できる特長がある。また、座部１と脚部２と肘掛け部４と、クロスロッド１１を溶着している水平ロッド１０とを分解してコンパクトに梱包できる。したがって、梱包のコストと輸送コストを安くでき、ユーザーが簡単に組み立てできる特徴がある。
【００２８】
座部１の両側に配置される各々の水平ロッド１３は、クロスロッド１１の上端を固定している。クロスロッド１１はＸ字状に配置している２本の金属ロッドからなる。各々のクロスロッド１１は、上端を水平ロッド１３に溶着して、下端を脚部２の下部に連結している。クロスロッド１１の下端は、図３に示すように、上端を連結している座部１の反対側にある脚部２の下部に連結している。クロスロッド１１の下端は、脚部２の下端に、脚部２の幅方向、すなわち前後に伸びるように溶着している横バー１５に連結される。横バー１５とクロスロッド１１は、横バー１５を貫通する止ネジ１６を介して連結される。止ネジ１６は、横バー１５を貫通し、クロスロッド１１の下端部に、軸方向に伸びるように設けている雌ねじ孔にねじ込まれて、横バー１５とクロスロッド１１とを連結している。この構造は、第２の止ネジ１６を外して、クロスロッド１１を横バー１５から分離できる。横バー１５から分離されるたクロスロッド１１は、脚部２から分離してコンパクトに梱包できる。
【００２９】
さらに、図１〜図３に示す椅子本体１０は、座部１の後部に背もたれ部３を連結している。背もたれ部３は、座部１に溶着している中央パイプ１７の後端に、止ネジ（図示せず）を介して脱着自在に連結している。背もたれ部３は、座部１に固定された各々の中央パイプ１７に連結するために、外側リング５と内側リング６の背面に垂直パイプ１８を溶着している。背もたれは３、垂直パイプ１８の下端部を貫通する止ネジを、中央パイプ１７の後端に設けた雌ねじ孔にねじ込んで座部１に連結している。
【００３０】
（クッション層２０）
クッション層２０は、椅子本体１０の座部１に配置されており、ユーザーが座面に座る際に臀部を載せる部分となる。図１に示すクッション層２０は、複数に分割してなるクッションユニット２１で構成している。複数のクッションユニット２１は、所定の配列で配置されると共に、各々のクッションユニット２１を独立して椅子本体１０の座部１に固定してクッション層２０としている。
【００３１】
（クッションユニット２１）
クッションユニット２１は、図４と図５に示すように、閉鎖構造で可撓性のあるシート材からなる外袋２３の内部にクッション材２２を収納している。図４及び図５に示すクッションユニット２１は、その形状を、高さの低い柱状としている。柱状であるクッションユニット２１は、外袋２３にクッション材２２を収納する状態で、全体の形状が所定の形状となるように外袋２３を形成している。さらに、図に示すクッションユニット２１は、外袋２３の内部であって、クッション材２２の下面に板状の支持プレート２７を収納している。
【００３２】
（外袋２３）
図４及び図５に示す外袋２３は、クッションユニット２１の上面及び側面を構成する表面シート２４と、クッションユニット２１の底面を構成する底面シート２６を備えており、表面シート２４と底面シート２６を連結して内部にクッション材２２を収納できる中空スペースを形成している。表面シート２４は、座部１にクッションユニット２１を配置した状態で外部に表出される部分、すなわち、直接にユーザーに目視され、また接触する部分に使用される。表面シート２４は、可撓性のあるシート材であって、例えば、天然皮革、合成皮革、織布、不織布、織り物、フェルト、プラスチックシート等のシート材から選択的に使用できる。例えば、皮革を使用する表面シートは高級感を高め、織布を使用する表面シートは通気性を向上でき、織り物やフェルトを使用する表面シートは肌触りや保温性を向上でき、プラスチックシートを使用する表面シートは防水性を実現できる。したがって、表面シート２４は、その用途に応じて選択される。また、底面シート２６は、座部１にクッションユニット２１を配置した状態で外部に表出しない部分、すなわち、ユーザーに見えない部分に使用される。底面シート２６は、可撓性のあるシート材であって、好ましくは、通気性に優れた織布や網材が使用される。ただ、底面シートには、前述のシート材を使用してもよい。
【００３３】
図４と図５に示す外袋２３は、クッションユニット２１の上面を被覆する上面プレート２４Ａと、側面を被覆する側面プレート２４Ｂと、底面を被覆する底面プレート２６とを連結して全体を袋状に形成している。上面プレート２４Ａと側面プレート２４Ｂは、表面シート２４で形成している。上面シート２４Ａ及び底面シート２６は、ほぼ等しい形状及び大きさであって、クッションユニット２１の平面視における形状に形成される。側面シート２４Ｂは、シート材を細長い帯状にカットしたものであって、帯状に裁断された側面シート２４Ｂの幅がクッションユニット２１の高さとなる。したがって、側面シート２４Ｂは、クッションユニット２１の高さと等しい幅を有する帯状に裁断される。また、側面シート２４Ｂの全長は、上面シート２４Ａの外周長さとほぼ等しく、正確にはやや長く裁断される。以上の外袋２３は、上面シート２４Ａの外周に沿って側面シート２４Ｂ一方の側縁が縫着されると共に、側面シート２４Ｂの両端縁が縫着されて表面シート２４が形成される。さらに、側面シート２４Ｂの他方の側縁が底面シート２６の外周に沿って連結されて外袋２３が形成される。
【００３４】
（クッション材２２）
クッション材２２は、外袋２３の内部に収納される。外袋２３に収納されるクッション材２２には、例えば、クッション性に優れた連続気泡の軟質ウレタンフォームを使用する。このクッション材２２は、図５に示すように、軟質ウレタンフォームをクッションユニット２１の外形に沿う立体形状であって、所定の厚さを有するブロック状に裁断して製造される。このように、クッションユニット２１の外形に沿うブロック状のクッション材２２を外袋２３に収納することで、クッションユニット２１の形状を安定して所定の立体形状に保持できる。ただ、クッション材は、軟質ウレタンフォームには限定しない。クッション材には、クッション性に優れた他の材料も使用できる。また、クッション材は、クッションユニットの外形に沿うブロック状に限定せず、複数のパーツに分割して外袋に収納することもできる。
【００３５】
（支持プレート２７）
支持プレート２７は、外袋２３の内部において、クッション材２２の下面に配置されて、クッション材２２を底面から支持する。したがって、支持プレート２７は、クッションユニット１の底面に沿う板状としている。板状の支持プレート２７には、木板やプラスチック板が使用できる。図４と図５に示す支持プレート２７は、中心部に貫通孔を開口して中心孔２７Ａを設けている。この支持プレート２７は、図の矢印で示すように、クッションユニット２１の上面が押圧される状態で、クッション材２２の底面を支持して、全体をバランスよく弾性変形させると共に、上下方向に変形するクッション材２２の内部から押し出される空気を中心孔２７Ａに通過させてクッションユニット２１の外部にスムーズに排気する。とくに、クッションユニット２１は、底面シート２６に通気性に優れたシート材を使用することで空気を通過し易くできる。この構造は、クッション層２０の上にユーザーが座ってクッションユニット２１が上方から押圧される状態で、クッションユニット２１の内部を効果的に換気できる。
【００３６】
さらに、図１〜図３示す椅子本体１０は、座部１をリングプレート３０で構成しており、クッションユニット２１の下面を座部１の金属ロッドで支持する構造としている。この構造の椅子１００は、クッションユニット２１の下面と金属ロッドの間にできる隙間から効率よく空気を出し入れできるので、換気の効率を向上できる特徴が実現できる。
【００３７】
支持プレート２７は、中心孔に代わって、あるいはこれに加えて複数の貫通孔を開口することもできる。この構造はさらに換気を促進できる。ただ、クッションユニットは、必ずしも支持プレートに貫通孔を開口する必要はく、これを省略してもよい。また、クッションユニットは、支持プレートを省略することもできる。このクッションユニットは、安価に製造しながら軽量にできる。
【００３８】
以上のクッションユニット２１は、以下のようにして製造される。
（１）上面シート２４Ａと側面シート２４Ｂを縫着して表面シート２４を容器状に形成する。、
（２）容器状に形成された表面シート２４の内部にクッション材２２を収納する。
（３）さらに、クッション材２２の底面を押圧するように支持プレート２７を収納する。
（４）支持プレート２７の外周部を側面シート２４Ｂの側縁部で被覆する状態で、この被覆部に底面プレート２６の外周部を積層する。
（５）側面シート２４Ｂと底面プレート２６の積層部を、ホッチキス等の連結具を介して支持プレート２７に打ち付けて、底面シート２６の外周縁部を側面シート２４Ｂの側縁部に連結する。
【００３９】
図１に示すクッションユニット２１は、全体の外形を高さの低い円柱状としている。ただ、本発明は、クッションユニット２１の形状を円柱状には限定しない。クッションユニットは、高さの低い柱状であって、平面形状を楕円形状や長円形状、あるいは多角形状とすることもできる。柱状であるクッションユニットは、内部に収納されるクッション材２２の厚さに応じて、その高さを調整できる。言い換えると、クッションユニット２１の高さは、内部に収納されるクッション材２２の厚さが最適となるように決定される。また、クッションユニット２１の底面積は、ユーザーが快適に座ることができるように種々に変更される。とくに、複数のクッションユニット２１を種々の配列で配置するクッション層２０においては、その位置関係に応じて大小のクッションユニット２１を組み合わせることで快適な座り心地と美しい外観を実現できる。クッションユニット２１は、その高さを１０ｍｍ〜６０ｍｍ、好ましくは２０ｃｍ〜５０ｍｍとし、底面積を２０ｃｍ２〜５００ｃｍ２、好ましくは３０ｃｍ２〜１２０ｃｍ２、より好ましくは４０ｃｍ２〜１００ｃｍ２とすることができる。
【００４０】
クッション層２０は、図１と図２に示すように、複数のクッションユニット２１を組み合わせて形成される。座部１に配置されるクッション層２０は、好ましくは、３個以上のクッションユニット２１に分割される。図１に示すクッション層２０は、６個のクッションユニット２１に分割している。このように座部１に設けられるクッション層２０を複数のクッションユニット２１に分割する構造は、分割された各々のクッションユニット２１同士の間に通気隙間２９が形成されるので、この通気隙間２９によって優れた通気性を実現できる。また、クッション層２０は、分割された複数のクッションユニット２１を、ユーザーの体型に合わせて最適な位置に配置することで、多くのユーザーが快適に使用できる。すなわち、各クッションユニット２１の大きさや形状、クッション性や通気性がユーザーにとって最適となるように、複数のクッションユニット２１を選択的に組み合わせて座部２に固定することで理想的なクッション層２０が実現できる。
【００４１】
図１に示すクッション層２０は、外径を円形とするクッションユニット２１であって、外径の異なる複数のクッションユニット２１を組み合わせてクッション層２０を形成している。図１のクッション層２０は、外径の小さな第１クッションユニット２１Ａとこの第１クッションユニット２１Ａよりも外径の大きい第２クッションユニット２１Ｂを所定の配列で並べてクッション層２０としている。ただ、複数のクッションユニット２１で構成されるクッション層２０は、座部１に固定する全てのクッションユニット２１を同一形状とすることできる。
【００４２】
図１と図２のクッション層２０は、座部１の中心に第１クッションユニット２１Ａを配置すると共に、この第１クッションユニット２１Ａに外接するように複数の第１クッションユニット２１Ａと第２クッションユニット２１Ｂを配置している。クッション層２０は、中心の第１クッションユニット２１Ａの前方と左右の両側に第２クッションユニット２１Ｂを配置すると共に、中心の第１クッションユニット２１Ａの後方の両側に第１クッションユニット２１Ａを配置している。このクッション層２０は、中心に配置されるクッションユニット２１と、その周囲に配置される５個のクッションユニット２１からなる合計６個のクッションユニット２１を組み合わせてクッション層２０を形成している。
【００４３】
図１と図２のクッション層２０は、座部１を構成するリング状の金属ロッドからなるリングプレート３０の上面であって、座部１の外周を形成する外側リング５の内側の領域に配置している。とくに、このクッション層２０は、外側リング５の内側に同一平面に配置された複数の内側リング６の上に各クッションユニット２１を配置している。各クッションユニット２１は、下面を内側リング６で支持することができ、あるいは、内側リング６をクッションユニット２１に沿って配置することもできる。以上の構造は、座部１を形成する内側リング６とその上に配置されるクッションユニット２１により、美しい外観としながら、複数のクッションユニット２１を座部１の正確な位置に配置できる。ただ、クッション層は、座部を形成する外側リングや内側リングの形状や大きさ、配置に関係なく複数のクッションユニットを配列することもできる。
【００４４】
複数のクッションユニット２１は、所定の配列で座部１の上面に固定されてクッション層を形成している。各クッションユニットは、好ましくは、脱着自在に座部の上面に配置される。クッションユニット２１は、例えば、脱着連結具を介して座部の上面に脱着自在に固定することができる。
【００４５】
（脱着連結具２５）
図６及び図７は、クッションユニット２１を座部１の上面に脱着自在に固定する構造の一例を示している。図６に示すクッションユニット２１は、底面に脱着連結具２５を備えている。この図に示す脱着連結具２５は、一端部が底面シート部１４Ｂに固定されて、他端部が脱着具２５Ｂを介して底面シート部１４Ｂに連結される連結片２５Ａとしている。この連結片２５Ａは、可撓性を有するシート材で、一端部を底面シート部１４Ｂに縫着して固定している。連結片２５の他端部には脱着具２５Ｂとして、面ファスナーを固定している。脱着具２５Ｂである面ファスナーは、一方の連結面２５Ｂａを連結片２５Ａの他端部に縫着して固定し、他方の連結面２５Ｂｂをクッションユニット２１の底面シート２４Ｂに縫着して固定している。この構造の脱着連結具２５は、図６に示すように、クッションユニット２１を座部１の上面に配置した状態で、座部１の内側リング６や座部１の下面に固定されたパイプやロッドの下方に連結片２５Ａを通した後、連結片２５Ａの先端部を脱着具２５Ｂを介してクッションユニット２１の底面に連結して固定される。図６に示す脱着具２５Ｂは面ファスナーとしているが、脱着具には、ホックやボタン、フック等も使用できる。
【００４６】
さらに、図７は、脱着連結具２５の他の一例を示している。この図に示す脱着連結具２５は一対の紐材２５Ｃとしている。一対の紐材２５Ｃは、所定の間隔を離してクッションユニット２１の底面に縫着して固定している。紐材２５Ｃである脱着連結具２５は、図７に示すように、クッションユニット２１を座部１の上面に配置した状態で、一対の紐材２５Ｃを座部１の内側リング６や座部１の下面に固定されたパイプやロッドの下方において結束してクッションユニット２１を座部に固定する。
【００４７】
ただ、クッションユニットは、座部に対して必ずしも脱着自在に連結する必要はなく、座部に外れないように固定してもよい。このような場合には、接着剤や接着テープ等を介して固定することができる。さらに、図示しないが、クッションユニットは、座部に配置されるパイプやロッドを貫通する止ネジを支持プレートに直接ねじ込んで固定することもできる。
【００４８】
さらに、本発明の椅子は、座部１の上面に配置される複数のクッションユニット２１の配列を種々に変更することもできる。図８と図９は、本発明の実施形態２及び実施形態３にかかる椅子の平面図であり、図１０は、これらの椅子の椅子本体を示している。
【００４９】
図８と図９に示す椅子２００、３００は、前述と同様に外径を円形とするクッションユニット２１であって、外径の異なる複数のクッションユニット２１を組み合わせてクッション層２０を形成している。これらの図のクッション層２０は、外径の小さな第１クッションユニット２１Ａとこの第１クッションユニット２１Ａよりも外径の大きい第２クッションユニット２１Ｂに加えて、第１クッションユニット２１Ａよりも外径の小さい第３クッションユニット２１Ｃを所定の配列で並べてクッション層２０としている。
【００５０】
図８に示す椅子２００は、６個のクッションユニット２１を、座部１の後方を除く前方側に配置してクッション層２０としている。図に示すクッション層２０は、座部１の中心に第３クッションユニット２１Ｃを配置すると共に、この第３クッションユニット２１Ｃに外接するように３個の第２クッションユニット２１Ｂを前方と左右の後方とに配置している。さらに、前方に配置された第２クッションユニット２１Ｂと、左右の後方に配置された第２クッションユニット２１Ｂに接触するが、第３クッションユニット２１Ｃに接触しないように第１クッションユニット２１Ａを配置している。このクッション層２０は、大きさの異なる６個のクッションユニット２１を座部１の前方に集中して配置することで、座部１の前部における座り心地を良好にできる。
【００５１】
図９に示す椅子２００は、座部１の中心部に隙間を設けるように、６個のクッションユニット２１を円形に並べてクッション層２０としている。図に示すクッション層２０は、座部１の前方と左右の後方に第２クッションユニット２１Ｂを配置すると共に、前方に配置された第２クッションユニット２１Ｂと、左右の後方に配置された第２クッションユニット２１Ｂの間に第１クッションユニット２１Ａを配置し、さらに、座部１の後方であって、左右の後方に配置された第２クッションユニット２１Ｂの間に第３クッションユニット２１Ｃを配置している。このクッション層２０は、大きさの異なる６個のクッションユニット２１を円形に並べて配置することで、座部１の中央部に大きな通気隙間２８を設けている。この配列は、例えば、痔などの病気を有するユーザーが患部に負担をかけないように座ることができる。
【００５２】
図８と図９の椅子２００、３００は、図１０に示すように、椅子本体１０を同じ構造として、座部１に配置されるクッションユニット２１の配列を変更することでクッション層２０を異なる構造としている。これらの図に示す椅子２００、３００も、前述と同様に、座部１を構成するリング状の金属ロッドからなるリングプレート３０の上面であって、座部１の外周を形成する外側リング５の内側の領域に複数のクッションユニット２１を配置してクッション層２０を設けている。これらのクッション層２０も、複数のクッションユニット２１のいくつか、又は全てを、外側リング５の内側に同一平面に配置された複数の内側リング６の上に配置している。各クッションユニット２１は、下面を内側リング６で支持し、あるいは、中央パイプ１７で支持するように配置している。以上の構造も、座部１を形成する内側リング６とその上に配置されるクッションユニット２１により、美しい外観としながら、複数のクッションユニット２１を座部１の正確な位置に配置できる。
【００５３】
以上の椅子は、外側リング５と内側リング６で構成される座部１の上面に、直接にクッションユニット２１を固定してクッション層を形成している。この構造は、金属リングからなる座部１とクッションユニット２１からなるクッション層２０により、デザイン性を高めることができる。ただ、本発明は、図１１に示す実施形態４にかかる椅子４００のように、座部１の上面に支持部材３１を配置することもできる。
【００５４】
図１１に示す椅子４００は、座部１の上面に、外側リング５の外形に沿う形状の支持部材３１を敷設している。このような支持部材３１として、例えば、硬質の板材を使用することができる。支持部材３１として、硬質の板材、例えば、木板やプラスチック板、金属板等が使用できる。支持部材３１は、これらの板材を単独で使用することができる。この場合、脱着連結具として磁石や粘着シートを使用することができる。あるいは、両面テープを介して接着された面ファスナー等を使用してもよい。
【００５５】
さらに、支持部材３１は、図１２に示すように、外側リング５の外径に沿う形状に裁断された板状の固定プレート３２とし、この固定プレート３２の表面をカバーシート３３で被覆することもできる。このような固定プレート３２として、例えば木板を使用し、カバーシート３４には、前述の表面シート２４として使用するシート材のいずれかが使用できる。この支持部材３１は、図１２に示すように、中央パイプ１７や水平ロッド１３を貫通する止ネジ３４を固定プレート３２にねじ込んで強固に固定することができる。また、支持部材３１の上面に配置されるクッションユニット２１も、図に示すように、固定プレート３２を貫通する止ネジ３５をクッションユニット２１の支持プレート２７にねじ込んで固定することができる。
【００５６】
さらに、座部１の上面に配置される支持部材３１は、図１３に示すように、多少の厚みと可撓性のあるクッション部材３６を使用することができる。多少の厚みと可撓性のあるクッション部材３６には、キルティングや座布団、複数のシート材の積層体、内部に連続気泡の軟質ウレタンフォーム等のクッション材を収納したマット等が使用できる。このようなクッション部材３６を備える支持部材３１は、クッション層２０とクッション部材３６との二重クッションによりさらに快適なクッション性が実現できる。
【００５７】
図１３に示す支持部材３１は、凸状面２５Ｄａと凹状面２５Ｄｂからなる面ファスナー２５Ｄを脱着連結具２５として、脱着自在にクッションユニット２１を連結することができる。凸状面２５Ｄａや凹状面２５Ｄｂは例えば、縫着して支持部材３１やクッションユニット２１の底面に連結することができる。とくに、支持部材３１の表面に積層されるシート材として、表面に繊維が突出する構造のシート材を使用する場合には、この支持部材３１の表面のシート材を面ファスナーの凹状面に兼用することもできる。この場合、クッションユニット２１は、支持部材３１の全面に対して任意の位置に脱着自在に連結することができる。
【００５８】
さらに、図１１に示す椅子４００は、背もたれ部３にもクッションユニット２１を固定してクッション層２０を設けている。図に示す椅子４００は、背もたれ部３の中央部に１つのクッションユニット２１を固定して背もたれ用のクッション層２０としている。このように、背もたれ部３にクッション層２０を備える椅子４００は、ユーザーが背もたれ部３に対して快適にもたれかかることができる。このクッションユニット２１は、例えば、垂直パイプ１８や内側リング６を貫通する止ネジを介して固定することができ、あるいは前述の脱着連結具を介して脱着自在に連結することができる。さらに、本発明の椅子は、背もたれ部に対しても、前述の支持部材を設けて、この支持部材を介してクッションユニットを配置することもできる。
【００５９】
さらに、本発明の椅子は、座部１の上面に配置される複数のクッションユニット２１の形状を種々に変更することもできる。図１４は、本発明の実施形態５にかかる椅子の斜視図を示している。この図に示す椅子５００は、クッション層２０を構成する複数のクッションユニット２１の外観をドーナツに近似させている。図に示すクッションユニット２１は、中心穴２１ａを有する形状としてドーナツ形状に形成している。この形状のクッションユニット２１は、中心穴２１ａを設けたことで、通気性を向上しながら座り心地を快適にできる特長がある。また、外観をドーナツ状とすることにより、そのデザインで多くのユーザーを楽しませることができる。さらに、図示しないが、本発明の椅子は、クッション層を構成する各クッションユニットの外観を種々に変更することもできる。例えば、クッションユニットは、マカロンやロールケーキ、ハンバーガー、パイナップルなどのフルーツ等、種々の商品に近似する外観としてその意匠やデザインを楽しむこともできる。
【００６０】
以上の椅子本体１０は、座部１と脚部２に加えて、背もたれ部３と肘掛け４を備えている。ただ、本発明の椅子は、必ずしも背もたれ部や肘掛けを備える必要はなく、これらを省略することもできる。以下、実施形態６の椅子として、椅子本体を座部と脚部で構成する構造について詳述する。なお、以下の図において、前述の実施形態１の椅子と同じ構成要素については、同符号を伏してその詳細な説明を省略する。
【００６１】
図１５と図１６に示す椅子６００は、椅子本体１０が、平面状の座部１と、座部１の両側に垂直姿勢に固定している一対の脚部２とを備えている。図の椅子本体１０は、座部１には前述のリングプレートを使用することなく、一対の脚部２にのみ前述のリングプレート３０を使用している。図の椅子本体１０は、座部１の底面両側に連結される脚部２を倒れない強度とするために、一対の水平ロッド１３と脚部２に設けた横バー１５とをクロスロッド１１で連結して補強している。
【００６２】
図に示す椅子本体１０の座部１は、円形の外側リング５と、この外側リング５の下面に配置された複数のパイプ及びロッドで構成している。図の座部１は、外側リング５の下面に、１対の中央パイプ１７を溶接して固定し、これらの中央パイプ１７に交差する姿勢で左右に突出して連結用固定パイプ１４を固定すると共に、この連結用固定パイプ１４の先端に、金属ロッドからなる水平ロッド１３を固定している。水平ロッド１３の外側には連結パイプ１２を固定しており、この連結パイプ１２を介して脚部２を固定している。
【００６３】
この椅子本体１０は、座部１の輪郭を外側リング５で構成するが、外側リング５の内側には内側リングを配置することなく、外側リング５の下面に配置されて、外側リングの下面を支持する複数の中央パイプ１７、固定用連結パイプ１４、水平ロッド１３、及び連結パイプ１２を配置している。これらパイプやロッドは、前後方向と左右方向に交差する状態で配置されており、これらのロッドやパイプの上に、複数のクッションユニット２１を配置してクッション層２０を構成している。図に示すクッション層２０は、同じ形状である円柱状の３つのクッションユニット２１を互いに外接する状態で配置している。図に示す椅子は、背もたれ部や肘掛け部を設けないすっきりとした外観にできる。
【００６４】
さらに、本発明の椅子は、図示しないが、クッション層２０を構成する複数のクッションユニット２１を種々に着色してデザイン性に優れた外観とすることができる。複数のクッションユニット２１は、例えば、七色を構成する色に各クッションユニット２１を着色して全体の外観をレインボーカラーとすることができ、あるいは、同系色の色合いで濃淡を付けることで、おしゃれな外観とすることもできる。また、複数のクッションユニット２１は、各クッションユニット２１を例えば白と黒に着色してモノトーンの外観とすることもできる。とくに、異なる色に着色された複数のクッションユニット２１は、その配列を種々に変更することで、さらに多彩な外観を実現することができる。
【産業上の利用可能性】
【００６５】
本発明は、座部にクッション層を設けている椅子として快適に使用できる。
【符号の説明】
【００６６】
１００、２００、３００、４００、５００、６００…椅子
１…座部
２…脚部
３…背もたれ部
４…肘掛け部
５…外側リング
６…内側リング
７…内接リング
８…中心リング
９…円形リング
１０…椅子本体
１１…クロスロッド
１２…連結パイプ
１３…水平ロッド
１４…固定用連結パイプ
１５…横バー
１６…止ネジ
１７…中央パイプ
１８…垂直パイプ
１９…止ネジ
２０…クッション層
２１…クッションユニット
２１Ａ…第１クッションユニット
２１Ｂ…第２クッションユニット
２１Ｃ…第１クッションユニット
２１ａ…中心穴
２２…クッション材
２３…外袋
２４…表面シート
２４Ａ…上面シート
２４Ｂ…側面シート
２５…脱着連結具
２５Ａ…連結片
２５Ｂ…脱着具
２５Ｂａ…連結面
２５Ｂｂ…連結面
２５Ｃ…紐材
２５Ｄ…面ファスナー
２５Ｄａ…凸状面
２５Ｄｂ…凹状面
２６…底面シート
２７…支持プレート
２７Ａ…中心孔
２８…通気隙間
３０…リングプレート
３１…支持部材
３２…固定プレート
３３…カバーシート
３４…止ネジ
３５…止ネジ
３６…クッション部材
【図１】
2020039574.tif 000003
【図２】
2020039574.tif 000004
【図３】
2020039574.tif 000005
【図４】
2020039574.tif 000006
【図５】
2020039574.tif 000007
【図６】
2020039574.tif 000008
【図７】
2020039574.tif 000009
【図８】
2020039574.tif 000010
【図９】
2020039574.tif 000011
【図１０】
2020039574.tif 000012
【図１１】
2020039574.tif 000013
【図１２】
2020039574.tif 000014
【図１３】
2020039574.tif 000015
【図１４】
2020039574.tif 000016
【図１５】
2020039574.tif 000017
【図１６】
2020039574.tif 000018